【事件の表示】
　平成　３年特許願第５１１５３５号「信号処理装置」拒絶査定不服審判事件〔平成　３年１２月２６日　国際公開、ＷＯ９１／２０１４５、平成　５年　７月１５日国内公表、特表平　５−５０４６６９〕について、次のとおり審決する。
【結　論】
　本件審判の請求は、成り立たない。
【理　由】
　本願は、平成　３年　６月１２日（パリ条約による優先権主張１９９０年６月１５日，米国）の出願であって、その請求項１乃至７に係る発明は、補正された明細書及び図面の記載からみて、その特許請求の範囲の請求項１乃至７に記載された次の事項により特定されるとおりのものであると認める。　
「【請求項１】　変調され、この変調が予め選択された暗号文字群を含む受信信号の有用な復調パラメータを検出する方法であって、
予め選択されたサンプリング間隔で前記受信信号を周期的にサンプリングし、一連の複素数サンプリング値を取得し、
　前記次々のサンプリング値の各々の複素数値と、予め選択されたサンプリング間隔数だけそのサンプリング値に先行したサンプリング値の複素数値とを乗算し、これにより一連の演算複素数値を発生し、
　前記演算複素数値の移動列の各々をそれぞれのマスク値で処理し、前記予め選択されたサンプリング間隔数により遅延された前記予め選択された暗号文字群自体のバージョンが乗算されたような、前記予め選択された暗号文字群に対応して前記一連のマスク値が予め演算されて対応する複素数整合値列を発生し、前記受信信号が前記予め選択された暗号文字群によって変調されるときは前記複素数整合値列の複素数合計値の絶対値が最大とされ、
　前記絶対値に対応する信号を発生し、
　かつ
　前記絶対値信号をしきい値と比較して前記受信信号中の前記暗号文字群の存在を検出することを含み、
　前記複素数合計値の位相を復調して搬送波の周波数オフセットを検出することをさらに含む受信信号の有用な復調パラメータを検出する方法。
　
【請求項２】　変調され、この変調が予め選択された暗号文字群を含む受信信号の有用な復調パラメータを検出する方法であって、
　予め選択されたサンプリング間隔で前記受信信号を周期的にサンプリングし、一連の複素数サンプリング値を取得し、
　前記次々のサンプリング値の各々の複素数値と、予め選択されたサンプリング間隔数だけそのサンプリング値に先行したサンプリング値の複素数値とを乗算し、これにより一連の演算複素数値を発生し、
　前記演算複素数値の移動列の各々をそれぞれのマスク値で処理し、前記予め選択されたサンプリング間隔数により遅延された前記予め選択された暗号文字群自体のバージョンが乗算されたような、前記予め選択された暗号文字群に対応して前記一連のマスク値が予め演算されて対応する複素数整合値列を発生し、前記受信信号が前記予め選択された暗号文字群によって変調されるときは前記複素数整合値列の複素数合計値の絶対値が最大とされ、
　前記絶対値に対応する信号を発生し、
　かつ
　前記絶対値信号をしきい値と比較して前記受信信号中の前記暗号文字群の存在を検出することを含み、
　前記複素数サンプリング値の移動列の各々をそれぞれの第２のマスク値で処理し、前記予め選択された暗号文字群に対応して次々の前記第２のマスク値の列が演算されて第２の一連の演算複素数値を発生し、
　前記第２の一連の演算複素数値を合計し、
　かつ
　前記第２の一連の演算複素数値の合計値の位相を復調して搬送波の位相オフセットを検出することをさらに含む受信信号の有用な復調パラメータを検出する方法。
　
【請求項３】　変調され、この変調が予め選択された暗号文字群を含む受信信号の有用な復調パラメータを検出する方法であって、
　予め選択されたサンプリング間隔で前記受信信号を周期的にサンプリングし、一連の複素数サンプリング値を取得し、
　前記次々のサンプリング値の各々の複素数値と、予め選択されたサンプリング間隔数だけそのサンプリング値に先行したサンプリング値の複素数値とを乗算し、これにより一連の演算複素数値を発生し、
　前記演算複素数値の移動列の各々をそれぞれのマスク値で処理し、前記予め選択されたサンプリング間隔数により遅延された前記予め選択された暗号文字群自体のバージョンが乗算されたような前記予め選択された暗号文字群に対応して前記一連のマスク値が予め演算されて対応する複素数整合値列を発生し、前記受信信号が前記予め選択された暗号文字群によって変調されるときは前記複素数整合値列の複素数合計値の絶対値が最大とされ、
　前記絶対値に対応する信号を発生し、
　前記絶対値信号をしきい値と比較して前記受信信号中の前記暗号文字群の存在を検出し、
　前記複素数合計値の位相を復調して搬送波の周波数オフセットを検出し、
　前記複素数サンプリング値の移動列の各々をそれぞれの第２のマスク値で処理し、前記予め選択された暗号文字群と前記検出された周波数オフセットに対応して次々の第２のマスク値の列が演算されて第２の一連の演算複素数値を発生し、
　前記第２の一連の演算複素数値を合計し、
　かつ
　前記第２の一連の演算複素数値の合計値の位相を復調して搬送波の位相オフセットを検出することを含む受信信号の有用な復調パラメータを検出する方法。
　
【請求項４】　基準搬送周波数をもつ搬送波が変調され、この変調が予め選択された暗号文字群を含み、受信信号の有用な復調パラメータを検出する方法であって、
　予め選択されたサンプリング間隔で前記受信信号を周期的にサンプリングし、
　前記搬送周波数に名目上等しい局部発生周波数を使用して前記サンプリング値を周波数逓降変換し、一連の複素数サンプリング値を取得し、
　前記次々の複素数サンプリング値の各々の複素数値と、予め選択されたサンプリング間隔数によるサンプリング値に先行したサンプリング値の複素数値とを乗算し、これにより一連の演算複素数値を発生し、
　前記演算複素数値の移動列の各々をそれぞれのマスク値で処理し、前記予め選択されたサンプリング間隔数により遅延された前記予め選択された暗号文字群自体のバージョンが乗算されたような、前記予め選択された暗号文字群に対応して前記一連のマスク値が予め演算されて対応する複素数整合値列を発生し、前記受信信号が前記予め選択された暗号文字群によって変調されるときは前記複素数整合値列の複素数合計値の絶対値が最大とされ、
　前記絶対値に対応する信号を発生し、
　前記絶対値信号をしきい値と比較して前記受信信号中の前記暗号文字群の存在を検出し、
　前記局部発生周波数について前記複素数合計値の位相を復調して搬送波の周波数オフセットを検出することを含む受信信号の有用な復調パラメータを検出する方法。
　
【請求項５】　前記複素数サンプリング値の移動列の各々をそれぞれの第２のマスク値で処理し、前記予め選択された暗号文字群と前記検出された周波数オフセットに対応して次々の第２のマスク値の列が演算されて第２の一連の演算複素数値を発生し、
　前記第２の一連の演算複素数値を合計し、
　かつ
　前記第２の一連の演算複素数値の合計値の位相を復調して搬送波の位相オフセットを検出することをさらに含む請求項４記載の方法。
　
【請求項６】　変調され、この変調が予め選択された暗号文字群を含む受信信号の処理装置であって、
予め選択されたサンプリング間隔で前記受信信号を周期的にサンプリングし、一連の複素数サンプリング値を取得する手段、
　前記次々のサンプリング値の各々の複素数値と、予め選択されたサンプリング間隔数だけそのサンプリング値に先行したサンプリング値の複素数値とを乗算し、これにより一連の演算複素数値を発生する手段、
　前記演算複素数値の移動列の各々をそれぞれのマスク値で処理し、前記予め選択されたサンプリング間隔数により遅延された前記予め選択された暗号文字群自体のバージョンが乗算されたような前記予め選択された暗号文字群に対応して前記一連のマスク値が予め演算されて対応する複素数整合値列を発生し、前記受信信号が前記予め選択された暗号文字群によって変調されるときは前記複素数整合値列の複素数合計値の絶対値が最大とされる手段、
　前記絶対値に対応する信号を発生する手段、
　及び
　前記絶対値信号をしきい値と比較して前記受信信号中の前記暗号文字群の存在を検出する手段
　を備え、
　前記複素数合計値の位相を復調して搬送波の周波数オフセットを検出する手段をさらに備えた受信信号の処理装置。
　
【請求項７】　変調され、この変調が予め選択された暗号文字群を含む受信信号の処理装置であって、
　予め選択されたサンプリング間隔で前記受信信号を周期的にサンプリングし、一連の複素数サンプリング値を取得する手段、
　前記次々のサンプリング値の各々の複素数値と、予め選択されたサンプリング間隔数だけそのサンプリング値に先行したサンプリング値の複素数値とを乗算し、これにより一連の演算複素数値を発生する手段、
　前記演算複素数値の移動列の各々をそれぞれのマスク値で処理し、前記予め選択されたサンプリング間隔数により遅延された前記予め選択された暗号文字群自体のバージョンが乗算されたような前記予め選択された暗号文字群に対応して前記一連のマスク値が予め演算されて対応する複素数整合値列を発生し、前記受信信号が前記予め選択された暗号文字群によって変調されるときは前記複素数整合値列の複素数合計値の絶対値が最大とされる手段、
　前記絶対値に対応する信号を発生する手段、
　及び
　前記絶対値信号をしきい値と比較して前記受信信号中の前記暗号文字群の存在を検出する手段
を備え、
　前記複素数サンプリング値の移動列の各々をそれぞれの第２のマスク値で処理し、前記予め選択された暗号文字群に対応して前記次々の第２のマスク値の列が演算されて第２の一連の演算複素数値を発生する手段、
　前記第２の一連の演算複素数値を合計する手段、
　及び
　前記第２の一連の演算複素数値の合計値の位相を復調して搬送波の位相オフセットを検出する手段をさらに備えた受信信号の処理装置。」
　これに対して、当審において、平成１５年１０月　１日付けで次に示す拒絶理由を通知し、期間を指定して意見書を提出する機会を与えた。
「本件出願の下記の請求項１〜７に係る発明は、その出願前日本国内または外国において頒布された下記の刊行物に記載された発明に基いて、その出願前にその 発明の属する技術の分野における通常の知識を有する者が容易に発明をすることができたものであるから、特許法第２９条第２項の規定により特許を受けることができない。
          　　　　　　　　　　記
刊行物：特開平２?４４９４７号公報
［備考］　
１．本願は、平成３年６月１２日（パリ条約による優先権主張１９９０年６月１５日，米国）の出願であって、その請求項１〜７に係る発明は、補正された明細書及び図面の記載からみて、特許請求の範囲の請求項１?７に記載されたとおりの次の事項により特定されるものである。
「（省略）」
　
２．刊行物１
特開平２?４４９４７号公報（刊行物１という。）には、次の記載がある。
「先頭部に所定の信号パターンを有するバースト変調信号を入力とし、前記バースト変調信号に使用された搬送波の周波数に対して所定の周波数誤差範囲内にある周波数の基準搬送波を使用して前記バースト変調信号を準同期復調する直交復調手段と；　前記直交復調手段の出力信号を入力とし、前記所定の信号パターンに係わる相関演算を行う相関手段と；　前記相関手段の出力信号を入力とし、前記基準搬送波の位相誤差に対応する信号を検出する搬送波位相検出手段と；　前記相関手段の出力信号とシンボルクロックを入力とし、シンボルクロックの位相誤差に対応する信号を検出するクロック位相検出手段と；　・・・信号検出器」（特許請求の範囲）
　第１図を参照すると、信号検出器の構成図が示されており、入力された信号Ｍが直交復調されて信号Ｉ、Ｑが出力され、相関演算されて信号Ｉ′、Ｑ′が出力され、搬送波位相検出されて信号Ｓが出力されるとともに、前記相関演算された信号Ｉ′、Ｑ′はシンボルクロックとの間でクロック位相が検出されてシンボルクロック１０７の位相誤差に対応する信号Ｒ１１０が出力されているのが示されている。
「搬送波位相検出回路３は・・・信号Ｓ１０６を出力する。Ｓ＝・・・＝Δθ＋π／４　　・・・（１３」（第４頁右上欄１０行〜１７行）
「送信側においては、バースト変調信号１０１のプリアンブル部分に、所定の信号パターンとして、シンボル周期Ｔ毎に（＋１）データと（?１）データが交互に変わるＮ個（Ｎは自然数）のデータがＮＴ時間にわたって付与される。・・・信号パターンは第２図に示される波形の信号ｍ（ｔ）となる。　すなわち、受信側において、直交復調回路１に入力される信号Ｍ１０１は次のようになる。Ｍ（ｔ）＝・・・
　ｍ（ｔ）＝＋１　　ｔ＝２ｎＴ　　の点における値　
　　　　　　−１　　ｔ＝（２ｎ＋１）Ｔの点における値　
　　　　　　　０　　ｔ＝（ｎ＋１／２）Ｔの点における値」（第３頁左下欄４行〜２０行）
「基準搬送波Ｄ＝ｃｏｓ（ωｃｔ＋Δθ）を使用して入力信号Ｍ１０１を復調し、・・・相関用信号Ｖとの相関演算を行う。・・・
 Ｉ′（ｔ）＝・・・（ｃｏｓΔθ?ｓｉｎΔθ）…（５）
 Ｑ′（ｔ）＝・・・（ｃｏｓΔθ＋ｓｉｎΔθ）…（６）
   ・・・Ｓ＝・・・＝Δθ＋π／４…（１３）　」（第３頁右下欄５行〜第４頁右上欄下３行）
　刊行物１には、前記特許請求の範囲に記載された各手段を各ステップとみた検出方法の発明が記載されていると認められる。
　
３．対比
　刊行物１の発明は、基準搬送波Ｄの位相誤差Δθは、Ｓ＝Δθ＋π／４として検出されるものであり、この位相誤差Δθは復調に用いられる有用な復調パラメータであることは自明であり、所定の信号パターンは暗号文字群を含む受信信号に相当するから、刊行物１の発明は、本願請求項１の発明の「変調され、この変調が予め選択された暗号文字群を含む受信信号の有用な復調パラメータを検出する方法であって、」の構成要件を備えている。
　刊行物１の発明は、受信側において直交復調回路１に入力される信号Ｍ１０１ は、ｍ（ｔ）＝＋１　　ｔ＝２ｎＴ　　の点における値といったように、実質的には、サンプリング間隔Ｔで４相位相変調された複素数サンプル値をみているから、本願請求項１の発明の「予め選択されたサンプリング間隔で前記受信信号を周期的にサンプリングし、一連の複素数サンプリング値を取得し、」に相当する構成要件を有する。
　また、刊行物１の発明の、バースト変調信号に使用された搬送波の周波数に対して所定の周波数誤差範囲にある周波数の基準周波数を使用して前記バースト変調信号と準同期復調する直交復調手段のステップを有し、前記直交復調手段の出力信号を入力とし、前記所定の信号パターンに関わる相関演算を行う相関手段によるステップを有し、相関は、所定の信号パターンを有するバースト変調信号を直交復調した信号Ｉと信号Ｑに対して、所定の信号パターンに関わる相関用信号Ｖとの相関演算を行うものであり、且つ、相関演算において所定の信号パターンと相関用信号Ｖのパターンが同じであると相関の値は最大になることは自明の作用効果であるので、本願請求項１の発明の「前記演算複素数値の移動列の各々をそれぞれのマスク値で処理し、前記予め選択されたサンプリング間隔数により遅延された前記予め選択された暗号文字群自体のバージョンが乗算されたような、前記予め選択された暗号文字群に対応して前記一連のマスク値が予め演算されて対応する複素数整合値列を発生し、前記受信信号が前記予め選択された暗号文字群によって変調されるときは前記複素数整合値列の複素数合計値の絶対値が最大とされ、」の構成要件を有する。
　また、刊行物１の発明は、（５）式（６）式による相関演算結果（合計値）から（１３）式により搬送波位相検出をするものであるから、本願請求項１の発明の「前記複素数合計値の位相を復調して搬送波の周波数オフセットを検出することをさらに含む」の構成要件を有する。
　したがって、請求項１の発明と刊行物１の発明とは次の点で相違するが、それ以外の構成要件を有する点では一致している。
［相違点］
（１）請求項１の発明は、一連の演算複素数値は、次々のサンプリング値の各々の複素数値と、予め選択されたサンプリング間隔数だけそのサンプリング値に先行したサンプリング値の複素数値とを乗算し、これにより一連の演算複素数値を発生しているのに対し、刊行物１の発明は、変調信号に使用された搬送波の周波数に対して新たに複素数値を発生させていない点。 
（２）相関演算された信号に対して、請求項１の発明は、絶対値に対応する信号を発生し、かつ、前記絶対値信号をしきい値と比較して前記受信信号中の前記暗号文字群の存在を検出することを含むのに対し、刊行物１の発明は、所定パターンの信号の存在をそのような比較により検出していない点。
４．当審判断
（１）信号（スクランブルされていない信号）の検出に、１サンプリングタイムの遅延をとり、現在の信号と１つ前の信号の複素共役との積をとって判定する技術は、特開平６１?２６４８４４号公報（特に第１図の５０Ａ、５０Ｂ参照）に記載されており、この技術は、一連の演算複素数値は、次々のサンプリング値の各々の複素数値と、予め選択されたサンプリング間隔数だけそのサンプリング値に先行したサンプリング値の複素数値とを乗算し、これにより一連の演算複素数値を発生している技術である。
　刊行物１において変調信号を復調して一連の演算複素数値を演算する際に、 次々のサンプリング値の各々の複素数値と、予め選択されたサンプリング間隔数だけそのサンプリング値に先行したサンプリング値の複素数値とを乗算し、これにより一連の演算複素数値を発生させることは、前記周知の技術を参酌することにより当業者が適宜なし得ることである。
　
（２）相関演算された信号に対する所定パターン（拡散コード）信号の判定として、相関の絶対値の最大値をみて検出する技術は、例えば、特開平２?１１０３３号公報に見られるように本願出願前周知の技術であり、しきい値と比較して検出することも検出における常套手段と認められる。
　したがって、刊行物１の発明において、相関演算された信号に対するパターン信号の存在の検出に、絶対値に対応する信号を発生し、かつ、前記絶対値信号をしきい値と比較して前記受信信号中の前記暗号文字群の存在を検出することを含むとすることは、前記周知の技術を参酌することにより当業者が適宜なし得ることである。
　
請求項２に係る発明に対して
　請求項２に係る発明は、請求項１の発明の構成要件に加えて、さらに、「前記複素数サンプリング値の移動列の各々をそれぞれの第２のマスク値で処理し、前記予め選択された暗号文字群に対応して次々の前記第２のマスク値の列が演算されて第２の一連の演算複素数値を発生し、
　前記第２の一連の演算複素数値を合計し、
　かつ
　前記第２の一連の演算複素数値の合計値の位相を復調して搬送波の位相オフセットを検出することをさらに含む」という付加的な構成要件を有する受信信号の有用な復調パラメータを検出する方法の発明であるが、
　刊行物１には、搬送波位相検出をするのとは別に、相関手段の出力信号とシンボルクロックとを入力とし、シンボルクロックの位相誤差に対応する信号を検出するクロック位相検出手段を有し、これによりクロック位相を検出することが記載されており、かつ、請求項１の場合における所定の信号パターンにより相関をとる技術に倣い、さらに第２の所定の信号パターン（所定の信号パターンと同一を含む）により位相誤差を検出できることは明らかであるから、
　請求項１の場合において、前記付加的な構成要件を有する受信信号の有用な復調パラメータを検出する方法は当業者が容易になし得ることである。
　
請求項３に係る発明に対して
  請求項２において既述のように、第２の所定の信号パターン（所定の信号パターンと同一を含む）により位相誤差を検出できることは明らかであるから、請求項１の場合において、これを参酌することにより、前記付加的な構成要件を有する受信信号の有用な復調パラメータを検出する方法は当業者が容易になし得る。
　
請求項４乃至５に係る発明に対して
　請求項２の場合と同様に当業者が容易になし得る。
　
請求項６乃至７に係る発明に対して
　請求項１乃至２に係る方法の発明について既述のことは、手段クレームである装置の発明に対してもいえるので、請求項６乃至７に係る発明は当業者が容易になし得る。」
　
　これに対して、請求人からは何らの応答もない。そして、上記の拒絶理由は妥当なものと認められるので、本願は、この拒絶理由によって拒絶すべきものである。
よって、結論のとおり審決する。